(57)【要約】【課題】同時にマルチビュー機能とミラー機能とを発揮でき、更に安価かつ簡便に作ることのできる液晶表示装置を提供する。【解決手段】複数の液晶画素をマトリクス状に配列した表示パネルＤＰと、前記表示パネルと対向して設けられ前記表示パネルを照明する照明部ＢＬと、前記照明部と共に前記表示パネルを挟持するように配されるハーフミラーＨＦＭと、前記表示パネルへの画像表示と前記照明部の点消灯を制御する駆動制御部５とを備え、前記照明部は、前記表示パネルを照明する光を左右方向に切り替え可能で、かつ前記表示パネルの複数の領域毎に点消灯可能になされた光源を有し、前記駆動制御部は、マルチビュー表示を構成する左右画像を時分割で前記表示パネルに表示し、この左右画像の表示に対応して前記光源の照射方向を切り替えると共に前記領域毎に前記光源の点消灯を制御する液晶表示装置である。【選択図】図６
2010197507.tif 000002
【特許請求の範囲】
【請求項１】
複数の液晶画素をマトリクス状に配列した表示パネルと、
前記表示パネルと対向して設けられ、前記表示パネルを照明する照明部と、
前記照明部と共に前記表示パネルを挟持するように配されるハーフミラーと、
前記表示パネルへの画像表示と前記照明部の点消灯を制御する駆動制御部とを備え、
前記照明部は、前記表示パネルを照明する光を左右方向に切り替え可能で、かつ前記表示パネルの複数の領域毎に点消灯可能になされた光源を有し、
前記駆動制御部は、マルチビュー表示を構成する左右画像を時分割で前記表示パネルに表示し、この左右画像の表示に対応して前記光源の照射方向を切り替えると共に前記領域毎に前記光源の点消灯を制御することを特徴とする液晶表示装置。
【請求項２】
複数の液晶画素をマトリクス状に配列した表示パネルと、
前記表示パネルと対向して設けられ、前記表示パネルを照明する照明部と、
前記照明部と共に前記表示パネルを挟持するように配されるハーフミラーと、
前記ハーフミラーと前記表示パネルとの間に設けられる視差バリアと、
前記表示パネルへの画像表示と前記照明部の点消灯を制御する駆動制御部とを備え、
前記照明部は、前記表示パネルを照明する光を左右方向に切り替え可能で、かつ前記表示パネルの複数の領域毎に点消灯可能になされた光源を有し、
前記駆動制御部は、マルチビュー表示を構成する左右画像を一つの画像に合成して前記表示パネルに表示し、この左右画像の表示に対応して前記光源の照射方向を切り替えると共に前記領域毎に前記光源の点消灯を制御し、
前記視差バリアは、斜め方向からは、前記表示パネルの左画像用の画素と右画像用の画素の各々の画素を透過して出射する一方の画像用の画素の光を観測するようになされていることを特徴とする液晶表示装置。
【請求項３】
複数の液晶画素をマトリクス状に配列した表示パネルと、
前記表示パネルと対向して設けられ、前記表示パネルを照明する照明部と、
前記照明部と共に前記表示パネルを挟持するように配されるハーフミラーと、
前記ハーフミラーと前記表示パネルとの間に設けられる視差バリアと、
前記表示パネルへの画像表示と前記照明部の点消灯を制御する駆動制御部とを備え、
前記照明部は、前記表示パネルの複数の領域毎に点消灯可能になされた光源を有し、
前記駆動制御部は、マルチビュー表示を構成する左右画像を一つの画像に合成して前記表示パネルに表示し、この左右画像の表示に対応して前記領域毎に前記光源の点消灯を制御し、
前記視差バリアは、斜め方向からは、前記表示パネルの左画像用の画素と右画像用の画素の各々の画素を透過して出射する一方の画像用の画素の光を観測するようになされていることを特徴とする液晶表示装置。
【請求項４】
前記左右画像の内少なくとも一つの画像は、複数の部分画像で構成され、
前記領域は、前記部分画像が表示される前記表示パネルの部分に対応していることを特徴とする請求項１乃至３の内いずれか１項に記載の液晶表示装置。
【請求項５】
光源が消灯される前記表示パネルの領域は、ミラーとして機能することを特徴とする請求項１乃至３の内いずれか１項に記載の液晶表示装置。
【発明の詳細な説明】
【技術分野】
【０００１】
本発明は見る方向によって同時に異なる画像を表示することのできる液晶表示装置に関する。
【背景技術】
【０００２】
液晶表示装置は、軽量、薄型、低消費電力などの特徴を生かして、パーソナルコンピュータ、情報携帯端末、テレビジョン、あるいはカーナビゲーションシステム等の表示装置として広く利用されている。  
この液晶表示装置は、一つの二次元情報を表示するのが通常であるが、それに留まらず、例えば、車載用で運転席と助手席とで見える映像が異なる２画面表示装置など、同一画面で観察者の見る方向によって同時に異なる画面表示（マルチビュー）が可能な液晶表示装置が提案されている。
【０００３】
ところで、現在、車載モニタに種々の内容を表示しようとする試みがなされている。例えば、バックミラー・サイドミラーなどに替えてカメラで監視する電子ミラー化映像の表示、各種メータ類の表示、カーナビゲーション表示、ＤＶＤ・ＴＶの表示などを一台のモニタに集約しようとするニーズが挙げられる。しかし、運転者と同乗者とでは見たい画像の種類は異なり、また車の運転状況によっても見たい画像は異なる。従って、種々の画像を一台のモニタに集約して表示する場合は、状況に応じて適宜画像を切り替えられることが必須の条件となる。
【０００４】
特許文献１には、同一画面で運転席側から見える画像と、助手席側から見える画像を異なる画像にできるマルチビュー機能と、画面を鏡化できるミラー機能とを有する液晶表示装置によって構成されるバックミラー装置が開示されている。
【先行技術文献】
【特許文献】
【０００５】
【特許文献１】特開２００６−１１１１８６号公報
【発明の概要】
【発明が解決しようとする課題】
【０００６】
しかしながら、特許文献１に開示された液晶表示装置は、ＲＧＢ画素に加えて、新たにミラー（鏡）機能を有する画素を必要とする。従って、通常に用いられているＲＧＢ画素のみで構成される液晶表示パネルを、特許文献１に開示された液晶表示装置に使用することはできない。この結果、液晶表示装置の製造コストが高くなると共に、画像を表示するための駆動制御が複雑なものとなってしまう。  
また、特許文献１に開示された技術では、画素にＲＧＢ画素とミラー画素とが別画素として設けられているため、画像表示とミラー化とを切り替えることができても、画像を表示しながら、ミラー機能を発揮させることはできない。
【０００７】
本発明は、このような事情に鑑みてなされたものであって、同時にマルチビュー機能とミラー機能とを発揮でき、更に安価かつ簡便に作ることのできる液晶表示装置を提供することを目的とする。
【課題を解決するための手段】
【０００８】
上記課題を解決するための本発明は、複数の液晶画素をマトリクス状に配列した表示パネルと、前記表示パネルと対向して設けられ前記表示パネルを照明する照明部と、前記照明部と共に前記表示パネルを挟持するように配されるハーフミラーと、前記表示パネルへの画像表示と前記照明部の点消灯を制御する駆動制御部とを備え、前記照明部は、前記表示パネルを照明する光を左右方向に切り替え可能で、かつ前記表示パネルの複数の領域毎に点消灯可能になされた光源を有し、前記駆動制御部は、マルチビュー表示を構成する左右画像を時分割で前記表示パネルに表示し、この左右画像の表示に対応して前記光源の照射方向を切り替えると共に前記領域毎に前記光源の点消灯を制御する液晶表示装置である。
【発明の効果】
【０００９】
この発明によれば、同時にマルチビュー機能とミラー機能とを発揮でき、更に安価かつ簡便に作ることのできる液晶表示装置を提供することができる。
【図面の簡単な説明】
【００１０】
【図１】本発明に係る液晶表示装置の概要を説明する図。
【図２】液晶表示装置の回路構成を概略的に示す図。
【図３】本実施の形態の液晶表示装置で使用されるバックライトの概略の構成を示す図。
【図４】液晶表示装置の構成図。
【図５】本実施の形態の液晶表示装置のマルチビュー表示時の駆動方法を説明する図。
【図６】本実施形態の液晶表示装置の構成と表示内容を示す図。
【図７】視野角と輝度との関係を表す図。
【図８】表示パターン例を示す図。
【図９】視差バリア方式の概念図。
【図１０】第２の実施形態の液晶表示装置の構成を示す図。
【図１１】第３の実施形態の液晶表示装置の構成を示す図。
【発明を実施するための形態】
【００１１】
〔第１の実施の形態〕  
図１は、本発明に係る液晶表示装置の概要を説明する図である。  
本発明に係る液晶表示装置では、透過型の表示パネルＤＰの下にバックライトＢＬを備えている。そして、バックライトＢＬは、光源５２ａ、光源５２ｂおよびバックライト導光板５３で構成される。ここで、光源５２ａをオンしたときは、光はバックライト導光板５３によって図の右方向に出射され、光源５２ｂをオンしたときは、光はバックライト導光板５３によって図の左方向に出射される。
【００１２】
マルチビュー表示を行うときは、表示パネルＤＰに右の（運転席側）画像を表示する期間で光源５２ａを点灯し、表示パネルＤＰに左の（助手席側）画像を表示する期間で光源を切替えて光源５２ｂを点灯する。このように時分割で表示パネルＤＰに左右画像を順次表示し、これと同期して照明する光源の指向性を切替えることによって、左右の画像をそれぞれ運転席側、助手席側に導くことができる。
【００１３】
なお、図１は液晶表示装置の概略の構成を示している。実際の表示装置においては、表示パネルＤＰとバックライトＢＬとの間に、さらにコリメートレンズ、プリズムフィルムなどの光の指向性を調整する光学素子を適宜設けることができる。
【００１４】
ところで、１フレーム期間を時分割して異なる映像を表示するためには、応答速度の速い液晶を使用することが必須の条件となる。このため、本実施の形態では、動画表示に必要とされる高速な液晶応答性を有すると共に、広視野角の実現が可能なＯＣＢモード（Optically Compensated Bend）液晶を使用する。  
図２は、液晶表示装置の回路構成を概略的に示す図である。  
液晶表示装置は、表示パネルＤＰ、表示パネルＤＰを照明するバックライトＢＬ、表示パネルＤＰおよびバックライトＢＬを制御する表示制御回路ＣＮＴを備える。
【００１５】
表示パネルＤＰは、一対の電極基板であるアレイ基板１および対向基板２間に液晶層３を挟持した構造である。液晶層３は、ＯＣＢ液晶を液晶材料として含む。このＯＣＢ液晶は、ノーマリホワイトの表示動作のために予めスプレー配向からベンド配向に転移されると共に、表示動作中にベンド配向からスプレー配向への逆転移が、印加される電圧により阻止される。
【００１６】
表示制御回路ＣＮＴは、アレイ基板１および対向基板２から液晶層３に印加される液晶駆動電圧により表示パネルＤＰの透過率を制御する。スプレー配向からベンド配向への転移は、電源投入時に表示制御回路ＣＮＴにより行われる所定の初期化処理で比較的大きな電界を液晶に印加することにより得られる。  
アレイ基板１では、複数の画素電極ＰＥが透明絶縁基板ＧＬ上において略マトリクス状に配置される。また、複数のゲート線Ｙ（Ｙ１〜Ｙｍ）が複数の画素電極ＰＥの行に沿って配置され、複数のソース線Ｘ（Ｘ１〜Ｘｎ）が複数の画素電極ＰＥの列に沿って配置される。
【００１７】
これらゲート線Ｙおよびソース線Ｘの交差位置近傍には、複数の画素スイッチング素子Ｗが配置される。各画素スイッチング素子Ｗは例えばゲートがゲート線Ｙに接続され、ソース−ドレインパスがソース線Ｘおよび画素電極ＰＥ間に接続される薄膜トランジスタからなり、対応ゲート線Ｙを介して駆動されたときに対応ソース線Ｘおよび対応画素電極ＰＥ間で導通する。
【００１８】
各画素電極ＰＥおよび共通電極ＣＥのそれぞれは、例えばＩＴＯ等の透明電極材料からなり、それぞれ配向膜ＡＬで覆われ、画素電極ＰＥおよび共通電極ＣＥからの電界に対応した液晶分子配列に制御される液晶層３の一部である画素領域と共に液晶画素ＰＸを構成する。
【００１９】
複数の液晶画素ＰＸは各々画素電極ＰＥおよび共通電極ＣＥ間に液晶容量ＣＬＣを有する。複数の補助容量線Ｃ１〜Ｃｍは各々対応行の液晶画素ＰＸの画素電極ＰＥに容量結合した補助容量Ｃｓを構成する。補助容量Ｃｓは画素スイッチング素子Ｗの寄生容量に対して十分大きな容量値を有する。
【００２０】
表示制御回路ＣＮＴは、ゲートドライバＹＤ、ソースドライバＸＤ、バックライト駆動部ＬＤ、駆動用電圧発生回路４、およびコントローラ回路５を備える。  
ゲートドライバＹＤは、複数のスイッチング素子Ｗを行単位に導通させるように複数のゲート線Ｙ１〜Ｙｍを順次駆動する。ソースドライバＸＤは、各行のスイッチング素子Ｗが対応ゲート線Ｙの駆動によって導通する期間において画素電圧Ｖsを複数のソース線Ｘ１〜Ｘｎにそれぞれ出力する。バックライト駆動部ＬＤは、バックライトＢＬを駆動する。駆動用電圧発生回路４は、表示パネルＤＰの駆動用電圧を発生する。コントローラ回路５は、ゲートドライバＹＤ、ソースドライバＸＤおよびバックライト駆動部ＬＤを制御する。
【００２１】
駆動用電圧発生回路４は、補償電圧発生回路６、階調基準電圧発生回路７、およびコモン電圧発生回路８を含む。  
補償電圧発生回路６は、補助容量線Ｃに印加される補償電圧Ｖeを発生する。階調基準電圧発生回路７は、ソースドライバＸＤによって用いられる所定数の階調基準電圧ＶＲＥＦを発生する。コモン電圧発生回路８は、対向電極ＣＴに印加されるコモン電圧Ｖcomを発生する。
【００２２】
コントローラ回路５は、外部信号合成部ＳＳ、垂直タイミング制御回路１１、水平タイミング制御回路１２、フレーム回路１７、およびバックライト制御回路１４を含む。
【００２３】
外部信号合成部ＳＳは、表示モード信号に基づいて複数種類の外部信号（映像信号）を合成等して表示パネルＤＰに表示する画像データ、各種同期信号を生成する。垂直タイミング制御回路１１は、外部信号合成部ＳＳから入力される同期信号ＳＹＮＣ（ＶＳＹＮＣ，ＤＥ）に基づいてゲートドライバＹＤに対する制御信号ＣＴＹを発生する。水平タイミング制御回路１２は、外部信号合成部ＳＳから入力される同期信号ＳＹＮＣ（ＶＳＹＮＣ，ＤＥ）に基づいてソースドライバＸＤに対する制御信号ＣＴＸを発生する。画像データ変換回路１３は、外部信号合成部ＳＳから入力される画像データについて、順次メモリに格納すると共に、垂直タイミング制御回路１１及び水平タイミング制御回路１２のタイミングに同期して、画像データ（右画像表示データ及び右画像表示データ）を順次出力する。バックライト制御回路１４は、垂直タイミング制御回路１１から出力される制御信号ＣＴＹに基づいてバックライト駆動部ＬＤを制御する。
【００２４】
画像データは複数の液晶画素ＰＸに対する複数の画素データＤＩからなり、１フレーム期間（垂直走査期間Ｖ）毎に更新される。制御信号ＣＴＹはゲートドライバＹＤに供給され、制御信号ＣＴＸは画像データ変換回路１３から変換結果として得られる画素データＤＯと共にソースドライバＸＤに供給される。制御信号ＣＴＹは上述のように順次ゲート線Ｙを駆動する動作をゲートドライバＹＤに行わせるために用いられ、制御信号ＣＴＸは画像データ変換回路１３の変換結果として１行分の液晶画素ＰＸ単位に得られ直列に出力される画素データＤＯを複数のソース線Ｘにそれぞれ割り当てると共に出力極性を指定する動作をソースドライバＸＤに行わせるために用いられる。
【００２５】
ゲートドライバＹＤおよびソースドライバＸＤはゲート線Ｙおよびソース線Ｘをそれぞれ選択するために例えばシフトレジスタ回路を用いて構成される。
【００２６】
ゲートドライバＹＤは制御信号ＣＴＹの制御により１フレーム期間においてゲート線Ｙ１〜Ｙｍを順次選択し、各行の画素スイッチング素子Ｗを１水平走査期間Ｈだけ導通させる駆動信号としてオン電圧を選択ゲート線Ｙに供給する。  
ソースドライバＸＤは、画素データを画素電圧Ｖsに変換し、複数のソース線Ｘ１〜Ｘｎに並列的に出力する。
【００２７】
画素電圧Ｖsは共通電極ＣＥのコモン電圧Ｖcomを基準として画素電極ＰＥに印加される電圧であり、例えばフレーム反転駆動およびライン反転駆動を行うようコモン電圧Ｖcomに対して極性反転される。
【００２８】
また、補償電圧Ｖeは１行分のスイッチング素子Ｗが非導通となるときにこれらスイッチング素子Ｗに接続されるゲート線Ｙに対応した補助容量線ＣにゲートドライバＹＤを介して印加され、これらスイッチング素子Ｗの寄生容量によって１行分の画素ＰＸに生じる画素電圧Ｖsの変動を補償するために用いられる。
【００２９】
ゲートドライバＹＤが例えばゲート線Ｙ１をオン電圧により駆動してこのゲート線Ｙ１に接続された全ての画素スイッチング素子Ｗを導通させると、ソース線Ｘ１〜Ｘｎ上の画素電圧Ｖsがこれら画素スイッチング素子Ｗをそれぞれ介して対応する画素電極ＰＥおよび補助容量Ｃｓの一端に供給される。
【００３０】
また、ゲートドライバＹＤはこのゲート線Ｙ１に対応した補助容量線Ｃ１に補償電圧発生回路６からの補償電圧Ｖeを出力する。補償電圧Ｖeはこれら画素スイッチング素子Ｗが非導通になったときにこれらの寄生容量によって画素電極ＰＥから引き抜かれる電荷を低減して画素電圧Ｖsの変動、すなわち突き抜け電圧ΔＶｐを実質的にキャンセルする。
【００３１】
図３は、本実施の形態の液晶表示装置で使用されるバックライトＢＬの概略の構成を示す図である。  
バックライトＢＬは、導光板５３と、その左右端に対になって設けられた複数のＬＥＤ及びこれらＬＥＤを駆動するＬＥＤドライバを備えている。  
そして、導光板５３の、図で下の面には、導光板５３内に入射した光を選択的に出射させるための選択出射部としてのプリズム加工（不図示）が施されている。左右のＬＥＤから出射された光はこのプリズムで反射されて、マルチビュー表示を可能にするように、それぞれ所定の角度で表示パネルＤＰに入射する。
【００３２】
また導光板５３の、図で上の面には左右一対のＬＥＤを結ぶ方向（横方向）にスリット（溝）が設けられている。このスリットによって、左右のＬＥＤからの光が隣接する上下方向の領域に広がることを防止している。  
なお、スリットは、導光板５３の上面でなくとも、下面に設けられていても良く、上下面に共に設けられていても良いし、導光板５３自体を分割するものであってもかまわない。また上述のように、表示パネルＤＰとバックライトＢＬとの間に、さらにコリメートレンズ、プリズムフィルムなどの光の指向性を調整する光学素子を適宜設けることができる。
【００３３】
バックライトＢＬでは、左右に設けられたＬＥＤの点灯タイミングを独立に制御することができるため、このＬＥＤの点灯タイミングをずらしながら駆動することができる。これにより、横方向に光る帯を上下方向にスキャンさせることができる。
【００３４】
このように、本実施形態では、バックライトＢＬは表示パネルＤＰの一部の領域を指向性の光で照射することが可能である。従って、表示パネルＤＰの領域を分割し、分割した領域への照射及び消灯を独立して制御することができる。そして、この領域の分割と、分割領域に対する点消灯制御は、右と左で独立して実行することができる。  
なお、バックライトＢＬは、表示パネルＤＰの領域を分割して指向性の光で照射でき、左右で独立に動作可能であればこの形態に限定されない。
【００３５】
図４は、液晶表示装置の構成図である。  
図４に示すように、液晶表示装置は、表示パネルＤＰ、表示パネルＤＰの観測面側に配置された第１偏光素子ＰＯＬ１及びハーフミラーＨＦＭ、表示パネルＤＰを指向性の光で照明するバックライトＢＬ、表示パネルＤＰとバックライトＢＬとの間に配置された第２偏光素子ＰＯＬ２を備えている。
【００３６】
この構成では、ハーフミラーＨＦＭを新たに設けている点が、従来の液晶表示装置の構成と異なっている。従って、バックライトＢＬからの光によって生成されたそれぞれの画像は、ハーフミラーＨＦＭを介して左右に照射される。一方、バックライトＢＬが消灯している場合は、外部からの光はハーフミラーＨＦＭで反射される。即ち、表示パネルＤＰは鏡として機能する。
【００３７】
図５は、本実施の形態の液晶表示装置のマルチビュー表示時の駆動方法を説明する図である。  
図１乃至図５を参照しつつ駆動方法を説明する。  
制御信号ＣＴＹは、第１スタート信号（右画像表示開始信号）ＳＴＨＡ、第２スタート信号（左画像表示開始信号）ＳＴＨＢ、クロック信号、および出力イネーブル信号等を含む。
【００３８】
第１スタート信号（右画像表示開始信号）ＳＴＨＡは、右画像表示開始タイミングを制御する。第２スタート信号（左画像表示開始信号）ＳＴＨＢは、左画像表示開始タイミングを制御する。クロック信号は、シフトレジスタ回路においてこれらスタート信号ＳＴＨＡ，ＳＴＨＢをシフトさせる。出力イネーブル信号は、スタート信号ＳＴＨＡ，ＳＴＨＢの保持位置に対応してシフトレジスタ回路によって所定数ずつ順次または一緒に選択されるゲート線Ｙ１〜Ｙｍへの駆動信号の出力を制御する。
【００３９】
他方、制御信号ＣＴＸはスタート信号、クロック信号、ロード信号、および極性信号等を含む。  
先ず右画像表示動作について説明する。  
ゲートドライバＹＤは制御信号ＣＴＹの制御によりゲート線Ｙ１〜Ｙｍを右画像表示用に順次選択し、各行の画素スイッチング素子Ｗを１水平走査期間Ｈだけ導通させる駆動信号としてオン電圧を選択ゲート線Ｙに供給する。１行分の入力画素データＤＩが１行分の右画像表示用画素データＲに変換される。１行分の右画像表示用画素データＲは画像データ変換回路１３から直列に出力される。
【００４０】
ソースドライバＸＤは階調基準電圧発生回路７から供給される所定数の階調基準電圧ＶＲＥＦを参照してこれら画素データＲをそれぞれ画素電圧Ｖsに変換し、複数のソース線Ｘ１〜Ｘｎに並列的に出力する。
【００４１】
この右画像表示期間に合わせてバックライト制御回路１４は、バックライト駆動部ＬＤを駆動してバックライトＢＬａの点消灯を制御する。  
図５では、右画像が表示パネルに表示されてから左画像が表示を開始するまでの期間バックライトＢＬａが点灯する。
【００４２】
続いて、左画像表示動作について説明する。ゲートドライバＹＤは制御信号ＣＴＹの制御によりゲート線Ｙ１〜Ｙｍを左画像表示用に順次選択し、各行の画素スイッチング素子Ｗを１水平走査期間Ｈだけ導通させる駆動信号としてオン電圧を選択ゲート線Ｙに供給する。１行分の入力画素データＤＩが１行分の左画像表示用画素データＬに変換される。１行分の左画像表示用画素データＬは画像データ変換回路１３から直列に出力される。
【００４３】
ソースドライバＸＤは上述の階調基準電圧発生回路７から供給される所定数の階調基準電圧ＶＲＥＦを参照してこれら画素データＬをそれぞれ画素電圧Ｖsに変換し、複数のソース線Ｘ１〜Ｘｎに並列的に出力する。  
この左画像表示期間に合わせてバックライト制御回路１４は、バックライト駆動部ＬＤを駆動してバックライトＢＬｂの点消灯を制御する。  
図５では、左画像が表示パネルに表示されてから右画像が表示を開始するまでの所定期間だけバックライトＢＬｂが点灯する。
【００４４】
右（左）画像が複数の表示領域に分割されて複数の映像を表示する場合には、外部信号合成部ＳＳが、表示モード信号に基づいて複数種類の外部信号（映像信号）を合成等して画像データ変換回路１３に出力する。従って、画像データ変換回路１３から直列に出力される右（左）画像表示用画素データＲ（Ｌ）には、既に複数の映像が設定されている。
【００４５】
また、バックライトＢＬは、上述のように表示パネルＤＰの領域を分割し、分割した領域への照射及び消灯を独立して制御することができる。従って、領域の一部について消灯して、その部分を鏡として機能させることができる。
【００４６】
図６は、本実施形態の液晶表示装置の構成と表示内容を示す図である。  
図６に示すバックライトＢＬでは、左側の光源５２ａは２つの分割されたバックライトとして駆動され、表示画面の２つの領域を指向性の光で独立して照射する。右側の光源５２ｂは１つのバックライトとして駆動され、指向性の光で表示画面の全領域を照射する。
【００４７】
この結果、運転席側では２分割された画面を視認することができ、助手席側では画面全体に表示された、運転席側とは異なる画面を視認することができる。そして、それぞれのバックライトを点消灯することによって画像表示と鏡とを切り替えることができる。
【００４８】
運転席側では、左側の光源５２ａが共にＯＮのときは、上部の画面ＤＳＰ１には、各種メータ類、後方および左右の視界の画像などがモニタ画面として表示され、下部の画面ＤＳＰ２にはナビゲータ画面が表示されている。  
左側の光源５２ａの一部（下部）がＯＦＦのときは、上部の画面ＤＳＰ１にはモニタ画面が表示され、下部の画面ＤＳＰ２は鏡となっている。  
左側の光源５２ａの全てがＯＦＦのときは、上部の画面ＤＳＰ１、下部の画面ＤＳＰ２ともに鏡となっている。
【００４９】
助手席側では、右側の光源５２ｂがＯＮのときは、画面には、テレビ画像、ＤＶＤ再生画像、ナビゲータ画面など選択された画像が表示されている。  
右側の光源５２ｂの全てがＯＦＦのときは、画面全体が鏡となっている。
【００５０】
図７は、視野角と輝度との関係を表す図である。  
運転席側、助手席側から液晶パネルを監視した場合は、バックライト光が指向性をもって照射されるため高い輝度を示している。しかし、正面方向には光が出射しないため、正面から液晶パネルを監視した場合は鏡として視認される。
【００５１】
図８は、表示パターン例を示す図である。これらの各パターンは、運転者が例えば表示パネルに設けられた不図示のスイッチを操作することによって選択される。  
パターン（１）では、左側の光源５２ａ及び右側の光源５２ｂが全て点灯している。運転席側、助手席側ではモニター画面が表示され、正面からは鏡として視認される。  
パターン（２）では、左側の光源５２ａが全て点灯し、右側の光源５２ｂは消灯している。運転席側ではモニター画面が表示され、助手席側及び正面からは鏡として視認される。
【００５２】
パターン（３）では、左側の光源５２ａの一部及び右側の光源５２ｂが点灯している。運転席側では画面の一部にモニター画面が表示され、助手席側ではモニター画面が表示されている。運転席側の画面の一部及び正面からは鏡として視認される。  
パターン（４）では、左側の光源５２ａの一部が点灯し、右側の光源５２ｂは消灯している。運転席側では画面の一部にモニター画面が表示され、運転席側の画面の一部、助手席側及び正面からは鏡として視認される。
【００５３】
パターン（５）では、左側の光源５２ａ及び右側の光源５２ｂは全て消灯している。運転席側、助手席側及び正面からは鏡として視認される。  
ただし、このパターン（５）は、運転席側からはモニタが表示されず全面鏡として視認されるため、安全上の観点から運転停止時のみ指定することができる。
【００５４】
[第２の実施の形態]  
第２の実施の形態の液晶表示装置は、視差バリア方式によって左右の画像を分離している点で第１の実施の形態と異なっている。従って、第１の実施の形態と同じ部位には同じ符号を付して詳細の説明は省略する。
【００５５】
図９は、視差バリア方式の概念図である。表示パネルＤＰには、右方向用の画素と、左方向用の画素とが個別に形成されている。そして、斜め方向からは、その各々の画素を透過して出射する光の一方の光を観測できるように、視差バリア層５１を形成する。なお、その視差バリア５１としてレンチキュラーレンズを設けて指向性を高めることもできる。
【００５６】
図１０は、第２の実施形態の液晶表示装置の構成を示す図である。  
図１０に示すバックライトＢＬでは、左側の光源５２ａは２つの分割されたバックライトとして駆動され、表示画面の２つの領域を独立して指向性の光で照射する。右側の光源５２ｂは１つのバックライトとして駆動され、表示画面の全領域を指向性の光で照射する。
【００５７】
この結果、運転席側では２分割された画面を視認することができ、助手席側では画面全体に表示された異なる画面を視認することができる。そして、それぞれのバックライトを点消灯することによって画像表示と鏡とを切り替えることができる。
【００５８】
なお、第２の実施形態では、視差バリア方式では、右方向用の画素と左方向用の画素とが１つの画面に合成されるが、これは外部信号合成部ＳＳが実行する。また、第２の実施の形態では表示画像の空間解像度は実際の表示パネルの画素数の１／２に低下するが、時分割駆動を行わないため、駆動周波数を低減することができる。
【００５９】
[第３の実施の形態]  
第３の実施の形態の液晶表示装置は、バックライトＢＬが分割されているが、照射される光が指向性を備えていない点で第２の実施の形態と異なっている。従って、第２の実施の形態と同じ部位には同じ符号を付して詳細の説明は省略する。
【００６０】
図１１は、第３の実施形態の液晶表示装置の構成を示す図である。  
図１１に示すバックライトＢＬでは、左側の光源５２ａは２つの分割されたバックライトとして駆動され、表示画面の２つの領域を独立して照射する。右側の光源５２ｂは１つのバックライトとして駆動され、表示画面の全領域を照射する。但し、いずれのバックライトも指向性を備えていない。
【００６１】
運転席側では２分割された画面を視認することができ、助手席側では画面全体に表示された異なる画面を視認することができる。そして、それぞれのバックライトを点消灯することによって画像表示と鏡とを切り替えることができる。
【００６２】
なお、第３の実施形態では、バックライトＢＬは指向性を備えた光を照射しなくても良いため、構成を簡便化することができる。
【００６３】
尚、本発明は、上記実施形態そのままに限定されるものではなく、実施段階ではその要旨を逸脱しない範囲で構成要素を変形して具体化できる。  
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６４】
１…アレイ基板、２…対向基板、３…液晶層、４…駆動用電圧発生回路、５…コントローラ回路、７…階調基準電圧発生回路、１３…画像データ変換回路、１４…バックライト制御回路、５２ａ…光源、５２ｂ…光源、５３…導光板、ＳＳ…外部信号合成部、ＨＦＭ…ハーフミラー、ＹＤ…ゲートドライバ、ＤＩ…画像データ、ＤＯ…画素データ、ＸＤ…ソースドライバ、ＰＥ…画素電極、ＣＥ…共通電極、ＰＸ…液晶画素、ＤＰ…表示パネル、ＢＬ…バックライト、ＣＮＴ…表示制御回路、Ｘ…ソース線、Ｙ…ゲート線、Ｗ…スイッチング素子。
【図１】
2010197507.tif 000003
【図２】
2010197507.tif 000004
【図３】
2010197507.tif 000005
【図４】
2010197507.tif 000006
【図５】
2010197507.tif 000007
【図６】
2010197507.tif 000008
【図７】
2010197507.tif 000009
【図８】
2010197507.tif 000010
【図９】
2010197507.tif 000011
【図１０】
2010197507.tif 000012
【図１１】
2010197507.tif 000013